(57)【特許請求の範囲】
【請求項１】
標準のパルス幅に設定された記録パルスに基づいて、極性反転間隔の異なる各種のデータを、予め設定された第１の記録パワーを基準にしてそれぞれ記録パワーを変化させる記録パワー可変手段と、
この記録パワー可変手段によって変化された記録パワーに基づいて記録データを光ディスクに書き込む書込手段と、
前記光ディスクから読み取った極性反転間隔の異なる各種の再生信号のアシンメトリが最適となる記録パワーを記録条件として設定する最適記録条件設定手段と、
前記光ディスクから読み取った極性反転間隔の異なる各種の再生信号のアシンメトリが最適となる第２の記録パワーが記録条件として設定された状態で、第１の記録パワーと第２の記録パワーとの比較に基づいて、前記記録パルスのパルス幅を標準のパルス幅から制御する制御手段を具備してなることを特徴とする光学式ディスク記録再生装置。
【請求項２】
前記制御手段は、前記第２の記録パワーが前記第１の記録パワーより大きい場合、前記記録パルスのパルス幅を標準のパルス幅よりも狭くし、前記第２の記録パワーが前記第１の記録パワーより小さい場合、前記記録パルスのパルス幅を標準のパルス幅よりも広げるようにすることを特徴とする請求項１記載の光学式ディスク記録再生装置。
【請求項３】
標準のパルス幅に設定された記録パルスに基づいて、極性反転間隔の異なる各種のデータを、予め設定された第１の記録パワーを基準にしてそれぞれ記録パワーを変化させて記録データを光ディスクに書き込み、前記光ディスクから読み取った極性反転間隔の異なる各種の再生信号のアシンメトリが最適となる記録パワーを記録条件として設定するように、光学式ディスク記録再生装置を制御する光学式ディスク記録再生装置の制御方法において、
前記光ディスクから読み取った極性反転間隔の異なる各種の再生信号のアシンメトリが最適となる第２の記録パワーが記録条件として設定された状態で、第１の記録パワーと第２の記録パワーとの比較に基づいて、前記記録パルスのパルス幅を標準のパルス幅から制御することを特徴とする光学式ディスク記録再生装置の制御方法。
【請求項４】
前記制御は、前記第２の記録パワーが前記第１の記録パワーより大きい場合、前記記録パルスのパルス幅を標準のパルス幅よりも狭くし、前記第２の記録パワーが前記第１の記録パワーより小さい場合、前記記録パルスのパルス幅を標準のパルス幅よりも広げるようにすることを特徴とする請求項３記載の光学式ディスク記録再生装置の制御方法。
【発明の詳細な説明】
【０００１】
【発明の属する技術分野】
この発明は、書き込み可能な光ディスクに対してデータの記録再生を行なう光学式ディスク記録再生装置とその制御方法に関する。
【０００２】
【従来の技術】
周知のように、近年では、例えばＣＤ−ＲやＤＶＤ−Ｒ等のような、データの書き込み可能な光ディスクが開発され、実用化されてきている。
【０００３】
この書き込み型の光ディスクには、光ディスク自体に記録再生に係る性能上のばらつきがある。また、この光ディスクに対してデータの記録再生を行なう光学式ディスク記録再生装置にも、使用する部品及び素子や、それらを用いて構成された機構部や回路部等の性能上のばらつきがある。
【０００４】
このため、光学式ディスク記録再生装置において、そのデータ記録に必要な各部の設定を固定化してしまうと、使用する光ディスクに応じては、最適な記録条件でのデータ記録ができなくなるという不都合が生じる。
【０００５】
そこで、従来では、光ディスク上にデータを試し書きする試し書き領域を設けておき、光学式ディスク記録再生装置が、光ディスクへのデータの書き込みに先立って、試し書き領域に一旦データを書き込んで読み出し、その再生データを調べることにより、データ記録に必要な各部の設定を最適な状態に制御するようにしている。
【０００６】
この最適化の制御には、例えばＯＰＣ（Optimum Power Calibration）方式がある。以下ＯＰＣ方式について、簡単に説明する。
【０００７】
例えばＣＤ−Ｒ等の光ディスクにおいて、光ディスクに記録されるデータは、データのビット同期クロックの周期をＴとすると、最小極性反転間隔が３Ｔで最大極性反転間隔が１１Ｔとなるように規定されている。
【０００８】
このため、まず、この光ディスクの試し書き領域に標準のパルス幅を有する記録パルスで、記録パワーレベルを段階的に変えて、極性反転間隔が３Ｔ及び１１Ｔとなるデータを、試し書き領域の異なる位置に記録する。例えば、試し書き用データの極性反転間隔が３Ｔ，３Ｔ，１１Ｔであるとした場合、図４（ａ）（ｄ）に示すような極性反転間隔が３Ｔ及び１１Ｔの標準パルス幅の記録パルスを用いて、図４（ｂ）（ｅ）に示すように、記録用レーザビームＲＢを照射して記録マークＭを形成し極性反転間隔が３Ｔ及び１１Ｔとなるようなデータを記録する。
【０００９】
その後、この光ディスクの試し書き領域に、記録パワーレベルを段階的に変えて記録された極性反転間隔３Ｔ及び１１Ｔのデータを、再生用レーザビームＰＢを照射して読み取り、記録パワー別に、再生信号が得られる。そして、得られた再生信号の振幅から中央レベルを検出し、検出された再生信号がどのレベルの記録パワーかを判断する。
【００１０】
図４（ｃ）（ｆ）には、本来であれば記録パワー別の再生信号が複数得られるが、ここでは簡略化して、ある記録パワー値Ｐ１で試し書き領域に極性反転間隔３Ｔ及び１１Ｔのデータを試し書き、それをレーザビームＰＢを照射して読み取った際の信号振幅の中央レベルを示している。つまり、この再生信号が記録パワー値Ｐ１で試し書きしたとき、再生信号の振幅の中央レベルから最適記録パワーはＰ１であることを判断する。
【００１１】
したがって、上記のようにして検出された中央レベル、つまり、アシンメトリ（非対称性）がほぼ“０”となる記録パワーを検索し、その検索された記録パワーを、本来のデータを記録するときの記録条件として設定する。
【００１２】
【発明が解決しようとする課題】
ところで、光ディスクにデータを記録するための記録用レーザビームＲＢは、半導体レーザから照射されるレーザ光を、所定の光学路を介して対物レンズに導き、この対物レンズをそのフォーカス方向に制御して、光ディスクの信号記録面上に集光させることにより、生成されている。
【００１３】
しかしながら、この対物レンズに対するフォーカス制御手段も、その性能にばらつきがあることから焦点ぼけ、つまり、記録用レーザビームＲＢによって光ディスク上に形成される光スポットの大きさにばらつきが生じ、これにより、光ディスク上に形成される記録マークＭの品位にばらつきが生じ、その結果、最適な記録条件でデータ書き込み行なうことができないという問題が生じている。
【００１４】
例えば、光スポットがぼけるとスポット中心強度が低下するため、所定のアシンメトリを得るためには通常スポット時に比べて強いパワーが必要となるが、ぼけているスポットでは通常スポットよりもトラック方向に長い（半径方向にも長い）スポットとなっているため、記録品位は良くならない。この場合は光ビームがトラック方向に長くなった分を補正するため、記録パルスを短くすれば記録品位は向上する。
【００１５】
そこで、この発明は上記事情を考慮してなされたもので、フォーカス制御の性能にかかわらず高品位な記録マークの形成を可能とし、その結果、記録マークＭの品位のばらつきを抑え、データ書き込みのために最適な記録条件を設定することを可能とする極めて良好な光学式ディスク記録再生装置とその制御方法を提供することを目的とする。
【００１６】
【課題を解決するための手段】
この発明に係る光学式ディスク記録再生装置は、標準のパルス幅に設定された記録パルスに基づいて、極性反転間隔の異なる各種のデータを、それぞれ記録パワーを段階的に変化させて光ディスクに書き込み、光ディスクから読み取った極性反転間隔の異なる各種の再生信号のアシンメトリが最適となる記録パワーを記録条件として設定するものを対象としている。
【００１７】
そして、光ディスクから読み取った極性反転間隔の異なる各種の再生信号のアシンメトリが最適となる記録パワーと、予め想定された記録パワーとの比較に基づいて、記録パルスのパルス幅を標準のパルス幅から制御する制御手段を備えるようにしたものである。
【００１８】
また、この発明に係る光学式ディスク記録再生装置の制御方法は、標準のパルス幅に設定された記録パルスに基づいて、極性反転間隔の異なる各種のデータを、それぞれ記録パワーを段階的に変化させて光ディスクに書き込み、光ディスクから読み取った極性反転間隔の異なる各種の再生信号のアシンメトリが最適となる記録パワーを記録条件として設定するように、光学式ディスク記録再生装置を制御する方法を対象としている。
【００１９】
そして、光ディスクから読み取った極性反転間隔の異なる各種の再生信号のアシンメトリが最適となる記録パワーと、予め想定された記録パワーとの比較に基づいて、記録パルスのパルス幅を標準のパルス幅から制御する制御工程を有するようにしたものである。
【００２０】
上記のような構成及び方法によれば、記録パワーが設定された状態で、予め想定された記録パワーとの比較によって、記録パルスのパルス幅を標準のパルス幅から変化させるようにしたので、フォーカス制御の性能にかかわらず高品位な記録マークの形成を可能とし、その結果、再生信号の振幅のばらつきを抑え、データ書き込みのために最適な記録条件を設定することが可能となる。
【００２１】
【発明の実施の形態】
以下、この発明の実施の形態について、図面を参照して詳細に説明する。
【００２２】
図１は、この実施の形態で説明する光学式ディスク記録再生装置の主要な部分の構成を示すブロック構成図である。
【００２３】
光ディスク１１に対して、光学式ディスク記録再生装置の全体の動作を統括的に制御するＣＰＵ（Central Processing Unit）１２により、データの書き込み及び読み出しが行なわれる。ＣＰＵ１２にはメモリ１３、レーザ制御回路１４、比較回路１９が接続されている。メモリ１３には種々の試し書き用データおよび記録パワーのデフォルト値Ｐｒが記録されている。メモリ１３に記憶された試し書き用データはＣＰＵ１２によってレーザ制御回路１４に供給される。また、メモリ１３に記憶された記録パワーのデフォルト値はＣＰＵ１２により比較回路１９に供給される。レーザ制御回路１４は、入力された試し書き用データに基づいて、標準のパルス幅を有する各種の記録パルスを生成する。
【００２４】
レーザ制御回路１４には光学式ヘッド１５が接続されている。光学式ヘッド１５はレーザドライバ１５ａ、このレーザドライバ１５ａに接続されたレーザダイオード１５ｂ、光ディスク１１からの反射光を受けるフォトディテクタ１５ｃから構成されている。このレーザドライバ１５ａにはレーザ制御回路１４で生成された各記録パルスが供給される。レーザドライバ１５ａは供給された各記録パルスに基づきレーザダイオード１５ｂを発光駆動する。
【００２５】
データの読み出し時においては、ＣＰＵ１２がレーザ制御回路１４に再生用信号を発生させる。この再生用信号に基づいてレーザドライバ１５ａがレーザダイオード１５ｂを発光駆動させることにより、再生用レーザビームＰＢが光ディスク１１上に照射される。フォトディテクタ１５ｃはこの再生用レーザビームＰＢによる光ディスク１１からの反射光を受光する。フォトディテクタ１５ｃは反射光を電気的なＲＦ（Radio Frequency）信号に変換する。フォトディテクタ１５ｃにはＲＦ増幅回路１６が接続されている。フォトディテクタ１５ｃで変換されたＲＦ信号はＲＦ増幅回路１６に供給されて増幅される。ＲＦ増幅回路１６には２値化回路１７およびアシンメトリ測定回路１８が接続されている。
【００２６】
２値化回路１７およびアシンメトリ測定回路１８にはＲＦ増幅回路１６から出力される再生信号がそれぞれ供給される。２値化回路１７は供給された再生信号を２値のデジタル再生データに変換し、以後コンテンツ（画像や音声）の再生に供する。
【００２７】
アシンメトリ測定回路１８はＣＰＵ１２に接続されている。アシンメトリ測定回路１８は入力された再生信号から、記録パワー別に、再生信号のアシンメトリを測定し、その測定結果をＣＰＵ１２に出力する。
【００２８】
ＣＰＵ１２は、アシンメトリ測定回路１８の測定結果から、アシンメトリがほぼ“０”になっている再生信号の記録パワー値Ｐｗを検索する。ＣＰＵ１２はその検索された記録パワー値Ｐｗを記録条件として比較回路１９に供給する。比較回路１９は、記録パワーのデフォルト値Ｐｒと検索された記録パワー値Ｐｗとを比較し、この結果をＣＰＵ１２に供給する。
【００２９】
図２は記録パルスと光ディスク上の記録データと再生信号との関係を示す図である。
【００３０】
レーザ制御回路１４は、ＣＰＵ１２から供給されるメモリ１３に記録された試し書き用データに基づいて、図２（ａ）に示すような標準のパルス幅を有する各種の記録パルスを生成する。なお、パルス幅とは、立上がりから立下りまでの幅のことを示す。これらの記録パルスは、例えば光ディスク１１上に、図２（ｂ）に示すような、極性反転間隔が３Ｔや１１Ｔなどのデータを記録するための各記録マークＭをそれぞれ形成し得るものである。
【００３１】
データ読み出し時、ＣＰＵ１２がレーザ制御回路１４に再生用信号を発生させ、この再生用信号に基づいてレーザドライバ１５ａがレーザダイオード１５ｂを発光駆動させることにより、図２（ｂ）に示すように、再生用レーザビームＰＢが光ディスク１１上に照射される。フォトディテクタ１５ｃがこの再生用レーザビームＰＢによる光ディスク１１からの反射光を受光して反射光を電気的なＲＦ（Radio Frequency）信号に変換し、このＲＦ信号をＲＦ増幅回路１６が増幅することにより、図２（ｃ）に示すような再生信号が得られる。
【００３２】
以下、図１および図３を用いて実施の形態の動作を説明する。図３は実施の形態の動作を説明するフローチャートである。
【００３３】
すなわち、記録条件設定動作が開始（ステップＳ１）されると、ＣＰＵ１２は、ステップＳ２で、種々の試し書き用データをメモリ１３から読出し、ステップ３で、この種々の試し書き用データに基づいた標準のパルス幅を有する記録パルスを用いて、その記録パワーを段階的に変化させながら、極性反転間隔３Ｔと１１Ｔのデータをそれぞれ光ディスク１１上に試し書きする。
【００３４】
その後、ＣＰＵ１２は、ステップＳ４で、記録したデータの再生を行ない、ステップＳ５で、再生信号から記録パワー別にアシンメトリの測定を実行する。
【００３５】
そして、ＣＰＵ１２は、ステップＳ６で、測定したアシンメトリから最適なアシンメトリ、つまり、ほぼ“０”となるアシンメトリを検索し、ステップＳ７で、この時の記録パワー値Ｐｗを決定し、比較回路１９へこの記録パワー値Ｐｗを供給する。
【００３６】
その後ステップ８で、比較回路１９で記録パワーのデフォルト値Ｐｒと記録パワー値Ｐｗとを比較し、その結果をＣＰＵ１２へ供給する。ＣＰＵ１２は、ステップＳ９で、比較回路１９での比較結果に基づいて、Ｐｗ＞ＰｒまたはＰｗ＜Ｐｒかどうかを判別する。
【００３７】
そして、Ｐｗ＞Ｐｒであると判別した場合（Ｙｅｓ）、ステップ１０で、ＣＰＵ１２は記録用レーザビームＲＢによって光ディスク上に形成される光スポットが、広がり気味で解像度が劣化し焦点ぼけしていると判断し、記録マークＭを形成するための記録パルスのパルス幅を、標準のパルス幅よりも狭くするようレーザ制御回路１４に通知する。
【００３８】
また、ステップ１２で、Ｐｗ＜Ｐｒであると判別した場合（Ｙｅｓ）、ステップ１２で、ＣＰＵ１２は記録用レーザビームＲＢによって光ディスク上に形成される光スポットが、十分に絞れて合焦点状態となっていると判断し、記録マークＭを形成するための記録パルスのパルス幅を、標準のパルス幅よりも広くするようレーザ制御回路１４に通知する。
【００３９】
またステップ１５の場合、Ｐｗ＝Ｐｒであるというこであり、ＣＰＵ１２は標準のパルス幅のままで記録するようレーザ制御回路１４へ通知し、ステップ１４の処理に進む。
【００４０】
レーザ制御回路１４は、ステップ１３で、ＣＰＵ１２からの通知に基づいたパルス幅を有する記録パルスを生成し、これを光学式ヘッド１５を構成するレーザドライバ１５ａへ供給する。そして、供給されたレーザドライバ１５ａによって、ステップ１４で、レーザダイオード１５ｂが発光駆動されることにより、記録用レーザビームＲＢが光ディスク１１上に照射されて、極性反転間隔が３Ｔや１１Ｔのデータが記録されるようになる。
【００４１】
このように記録パワー値Ｐｗだけでなく、記録パワーのデフォルト値Ｐｒとの比較に基づいて、記録パルスのパルス幅も変化させることにより、フォーカス制御の性能にかかわらず高品位な記録マークの形成を可能とし、その結果、再生信号の振幅のばらつきを抑え、データ書き込みのために最適な記録条件を設定することが可能となる。
【００４２】
なお、この発明は上記した実施の形態に限定されるものではなく、この外その要旨を逸脱しない範囲で種々変形して実施することができる。
【００４３】
【発明の効果】
以上詳述したようにこの発明によれば、フォーカス制御の性能にかかわらず高品位な記録マークの形成を可能とし、その結果、再生信号の振幅のばらつきを抑え、データ書き込みのために最適な記録条件を設定することを可能とする極めて良好な光学式ディスク記録再生装置とその制御方法を提供することができる。
【図面の簡単な説明】
【図１】この発明に係る光学式ディスク記録再生装置とその制御方法の実施の形態を説明するために示すブロック構成図。
【図２】同実施の形態における記録パルスと光ディスク上の記録データと再生信号との関係を説明するために示す図。
【図３】同実施の形態における一連の動作をまとめて説明するために示すフローチャート。
【図４】最適な記録パワーを設定する手法を説明するために示す図。
【符号の説明】
１１    光ディスク
１２    ＣＰＵ
１３    メモリ
１４    レーザ制御回路
１５    光学式ヘッド
１６    ＲＦ増幅回路
１７    ２値化回路
１８    アシンメトリ測定回路
１９    比較回路
【図１】
0003753418.tif 000002
【図２】
0003753418.tif 000003
【図３】
0003753418.tif 000004
【図４】
0003753418.tif 000005